(57)【要約】【課題】最新の市場の動向を十分に反映して商品毎の発注数を決定する。【解決手段】インターネット上のリサーチサイトにアクセスし、同一商品分類に属する各種商品の商品コード、商品名、販売実績に対応した構成比、前回の調査時からの伸び率等のリサーチ情報を取込み、このリサーチ情報に基づいて、商品コード毎に商品名、構成比、伸び率を設定した発注情報テーブルを作成する。キーボードから同一商品分類毎に発注する商品名を発注数とともに入力し、この入力した各商品に該当する構成比を発注情報テーブルから読み出し、その各構成比とその合計値とから構成比分配率を求め、この構成比分配率と入力した各商品の発注数の合計値とから各商品の発注数の補正値を求める。入力した各商品の商品名、発注数、構成比、求めた構成比分配率及び発注数の補正値を一時格納するテーブルを作成し、この作成したテーブルの内容をディスプレイに表示する。【選択図】      図３
2005128707.tif 000002
【特許請求の範囲】
【請求項１】
インターネット上のリサーチサイトにアクセスし、同一商品分類に属する各種商品の商品情報、販売実績に対応した構成比、前回の調査時からの伸び率等のリサーチ情報を取込む情報取込み手段と、
この情報取込み手段にて取込んだリサーチ情報に基づいて、各商品の商品情報、構成比、伸び率を設定した発注情報テーブルを作成する発注情報テーブル作成手段と、
商品分類毎に区別して発注する商品情報と発注数を入力する発注入力手段と、
この発注入力手段にて入力した各商品に該当する構成比を前記発注情報テーブルから読み出し、その各構成比とその合計値とから構成比分配率を求め、この構成比分配率と入力した各商品の発注数の合計値とから各商品の発注数の補正値を求める演算手段と、
少なくとも入力した各商品の商品情報、発注数、構成比、求めた構成比分配率及び補正発注数を一時格納するテーブルを作成する一時格納用テーブル作成手段と、
この一時格納用テーブル作成手段が作成したテーブルの内容を表示するディスプレイとを備えたことを特徴とする発注数管理装置。
【請求項２】
インターネット上のリサーチサイトにアクセスし、同一商品分類に属する各種商品の商品情報、販売実績に対応した構成比、前回の調査時からの伸び率等のリサーチ情報を取込む情報取込み手段と、
この情報取込み手段にて取込んだリサーチ情報に基づいて、各商品の商品情報、構成比、伸び率を設定した発注情報テーブルを作成する発注情報テーブル作成手段と、
商品分類毎に区別して発注する商品情報と発注数を入力する発注入力手段と、
この発注入力手段にて入力した各商品に該当する構成比及び伸び率を前記発注情報テーブルから読み出し、その各構成比を該当する伸び率で補正し、この補正した各構成比とその合計値とから構成比分配率を求め、この構成比分配率と入力した各商品の発注数の合計値とから各商品の発注数の補正値を求める演算手段と、
少なくとも入力した各商品の商品情報、発注数、補正した構成比、求めた構成比分配率及び補正発注数を一時格納するテーブルを作成する一時格納用テーブル作成手段と、
この一時格納用テーブル作成手段が作成したテーブルの内容を表示するディスプレイとを備えたことを特徴とする発注数管理装置。
【請求項３】
インターネット上のリサーチサイトにアクセスし、同一商品分類に属する各種商品の商品情報、販売実績に対応した構成比、前回の調査時からの伸び率及び新商品や製造中止商品などの情報からなるリサーチ情報を取込む情報取込み手段と、
この情報取込み手段にて取込んだリサーチ情報に基づいて、各商品の商品情報、構成比、伸び率を設定した発注情報テーブルを作成する発注情報テーブル作成手段と、
前記情報取込み手段にて取込んだリサーチ情報の新商品や製造中止商品などの情報に基づいて決定した各商品の係数を前記発注情報テーブルに商品毎に設定する係数設定手段と、
商品分類毎に区別して発注する商品情報と発注数を入力する発注入力手段と、
この発注入力手段にて入力した各商品に該当する構成比及び係数を前記発注情報テーブルから読み出し、その各構成比を該当する係数で補正し、この補正した各構成比とその合計値とから構成比分配率を求め、この構成比分配率と入力した各商品の発注数の合計値とから各商品の発注数の補正値を求める演算手段と、
少なくとも入力した各商品の商品情報、発注数、補正した構成比、求めた構成比分配率及び発注数の補正値を一時格納するテーブルを作成する一時格納用テーブル作成手段と、
この一時格納用テーブル作成手段が作成したテーブルの内容を表示するディスプレイとを備えたことを特徴とする発注数管理装置。
【請求項４】
係数設定手段は取込んだリサーチ情報に発売中止商品がある場合は、発注情報テーブルの該当する商品に係数ゼロを設定し、これにより該当する商品の構成比をゼロにして発注数を強制的にゼロに補正することを特徴とする請求項３記載の発注数管理装置。
【請求項５】
インターネット上のリサーチサイトにアクセスし、同一商品分類に属する各種商品の商品情報、販売実績に対応した構成比、前回の調査時からの伸び率等のリサーチ情報を取込み、この取込んだリサーチ情報に基づいて、各商品の商品情報、構成比、伸び率を設定した発注情報テーブルを作成し、一方、発注入力手段にて商品分類毎に区別して発注する商品情報と発注数を入力し、この入力した各商品に該当する構成比を前記発注情報テーブルから読み出し、その各構成比とその合計値とから構成比分配率を求め、この構成比分配率と入力した各商品の発注数の合計値とから各商品の発注数の補正値を求めて、少なくとも入力した各商品の商品情報、発注数、構成比、求めた構成比分配率及び補正発注数を一時格納するテーブルを作成し、この作成したテーブルの内容をディスプレイで表示することを特徴とする発注数管理方法。
【請求項６】
コンピュータを、
インターネット上のリサーチサイトにアクセスし、同一商品分類に属する各種商品の商品情報、販売実績に対応した構成比、前回の調査時からの伸び率等のリサーチ情報を取込む情報取込み手段と、
この情報取込み手段にて取込んだリサーチ情報に基づいて、各商品の商品情報、構成比、伸び率を設定した発注情報テーブルを作成する発注情報テーブル作成手段と、
商品分類毎に区別して発注する商品情報と発注数を発注入力手段にて入力することで、この入力した各商品に該当する構成比を前記発注情報テーブルから読み出し、その各構成比とその合計値とから構成比分配率を求め、この構成比分配率と入力した各商品の発注数の合計値とから各商品の発注数の補正値を求める演算手段と、
少なくとも入力した各商品の商品情報、発注数、構成比、求めた構成比分配率及び補正発注数を一時格納するテーブルを作成する一時格納用テーブル作成手段として機能させるための発注数管理プログラム。
【発明の詳細な説明】
【技術分野】
【０００１】
本発明は、ＰＯＳシステム等に適用される発注数管理装置及び発注数管理方法並びに発注数管理プログラムに関する。
【背景技術】
【０００２】
従来、スーパーやコンビニエンスストアなどの量販店において、商品を業者に発注する場合は、店長などの責任者の経験に基づいて行われていたが、これでは顧客の動向などを発注量に正しく反映できない問題があった。このため、過去の所定期間における特定の商品販売数を示す実績データを取得して販売数の予測値を生成し、例えば、当日末の在庫数が最小在庫数を下回らないで、仕入れによる補充後に最大在庫数になるように、発注時期と発注量を決定し、予測値と実際の販売個数の誤差を累積し、この累積値を用いて次回の発注量を補正するという発注量演算システムが知られている（例えば、特許文献１参照）。
【特許文献１】特開２００１−２８２９０６
【発明の開示】
【発明が解決しようとする課題】
【０００３】
しかしながら、この公報のように単に過去の所定期間における特定の商品販売数を示す実績データを取得して販売数の予測値を生成し、それに基づいて発注量を決定するものでは、最新の市場の動向を十分に反映して商品毎の発注数を決定するという点においては不十分であった。  
本発明は、最新の市場の動向を十分に反映して商品毎の発注数を決定することができる発注数管理装置及び発注数管理方法並びに発注数管理プログラムを提供することを目的とする。
【課題を解決するための手段】
【０００４】
本発明は、インターネット上のリサーチサイトにアクセスし、同一商品分類に属する各種商品の商品コードや商品名等の商品情報、販売実績に対応した構成比、前回の調査時からの伸び率等のリサーチ情報を取込む情報取込み手段と、この情報取込み手段にて取込んだリサーチ情報に基づいて、各商品の商品情報、構成比、伸び率を設定した発注情報テーブルを作成する発注情報テーブル作成手段と、商品分類毎に区別して発注する商品情報と発注数を入力するキーボードなどの発注入力手段と、この発注入力手段にて入力した各商品に該当する構成比を発注情報テーブルから読み出し、その各構成比とその合計値とから構成比分配率を求め、この構成比分配率と入力した各商品の発注数の合計値とから各商品の発注数の補正値を求める演算手段と、少なくとも入力した各商品の商品情報、発注数、構成比、求めた構成比分配率及び発注数の補正値を一時格納するテーブルを作成する一時格納用テーブル作成手段と、この一時格納用テーブル作成手段が作成したテーブルの内容を表示するディスプレイとを備えたものにある。
【発明の効果】
【０００５】
本発明によれば、インターネット上のリサーチサイトにアクセスして同一商品分類に属する各商品の商品情報、販売実績に対応した構成比、前回の調査時からの伸び率等のリサーチ情報を取込み、そのリサーチ情報に基づいて入力した各商品の発注数を補正するので、最新の市場の動向を十分に反映して商品毎の発注数を決定することができる発注数管理装置及び発注数管理方法並びに発注数管理プログラムを提供できる。
【発明を実施するための最良の形態】
【０００６】
以下、本発明の実施の形態を、図面を参照して説明する。  
（第１の実施の形態）
図１はシステム全体の構成を示すブロック図で、インターネット１に、発注数管理機能を内蔵した発注端末２、リサーチサイトサーバ３、複数の業者端末４が接続されている。前記発注端末２は、例えば、店舗内に配置されたＰＯＳシステムにおける管理装置であるストアコントローラと別体に設けられても、あるいはストアコントローラに一体に組み込まれても良い。ここでは別体に設けられている場合について述べる。
【０００７】
リサーチサイトでは、例えば、スナック菓子、ビール、飲料水、医薬品等の商品分類を同一商品分類カテゴリーとして区分し、同一商品分類についてそれぞれ数十或いは数百という品目の市場調査を行い、商品毎に、販売実績に対応した構成比、すなわち、全品目の販売合計数に対する各品目の販売数の割合である構成比、前回の調査からの伸び率を前記リサーチサイトサーバ３に格納し、このリサーチサイトサーバ３からリサーチ情報として前記発注端末２に提供するようになっている。
【０００８】
この発注端末２に対するリサーチ情報の提供は、例えば、発注端末２を扱う店舗の経営者がリサーチサイトと契約を結んだうえで、発注端末２からアクセスしリサーチ情報をダウンロードすることで行われる。なお、リサーチ情報のダウンロードを自動化し、発注端末２が１週間毎、２週間毎或いは１ヶ月毎など定期的にリサーチサイトサーバ３にアクセスしてリサーチ情報をダウンロードするようにしてもよい。前記業者端末４はそれぞれ商品を扱う卸業者や製造メーカなどに設置した端末で、商品の発注先となる。
【０００９】
前記発注端末２は、図２に示すように、制御部本体を構成するＣＰＵ（中央処理装置）２１、このＣＰＵ２１が各部を制御するプログラムデータを格納したＲＯＭ（リード・オンリー・メモリ）２２、受信データや表示データや印字データ等を一時格納するメモリやデータを演算するときに使用するメモリや一時格納用テーブルを形成するメモリを設けたＲＡＭ（ランダム・アクセス・メモリ）２３、後述する発注情報テーブルや発注テーブルを形成するメモリを設けたＨＤＤ（ハードディスク装置）２４を備えている。
【００１０】
また、液晶ディスプレイ２５を表示制御するディスプレイコントローラ２６、発注入力手段を構成するキーボード２７からのキー信号の入力制御を行うキーボードコントローラ２８、プリンタ２９を駆動制御するプリンタコントローラ３０及び前記インターネット１に接続し、このインターネット１を介して通信を行うインターネット通信部３１を備えている。
【００１１】
前記ＣＰＵ２１、ＲＯＭ２２、ＲＡＭ２３、ＨＤＤ２４、ディスプレイコントローラ２６、キーボードコントローラ２８、プリンタコントローラ３０及びインターネット通信部３１はデータバス、アドレスバス、コントロールバスなどのバスライン３２によって互いに電気的に接続している。
【００１２】
前記発注端末２のＣＰＵ２１は、図３に示す発注数管理処理を実行するようにプログラムされている。すなわち、Ｓ１にて、初期化処理を行って使用するメモリのクリア等を行う。続いて、Ｓ２にて、発注入力処理を行い、商品分類のカテゴリー毎に発注する商品について発注数量等の入力を行う。
【００１３】
続いて、Ｓ３にて、発注補正情報獲得処理を行い、最後に、Ｓ４にて、発注補正処理を行い、入力した各商品の発注数を発注情報テーブルの情報を使用して補正する。
【００１４】
前記発注端末２は、このようにして補正した各商品の補正発注数に基づいてインターネット通信部３１を制御し、それぞれ該当する業者端末４に対して商品の発注を行うようになっている。
【００１５】
Ｓ２の発注入力処理をさらに詳しく説明すると、スナック菓子などあるカテゴリーの選択を行うと、図４に示すように、Ｓ１１にて、初期処理が行われ、一時格納用テーブルを作成する領域がクリアされる。続いて、Ｓ１２にて、キーボード２７を操作して補正区分を入力する。すなわち、補正を構成比のみで行うのか構成比に伸び率を加味して行うのかを選択入力する。
【００１６】
例えば、構成比のみを使用して補正する補正区分を選択すると、発注する商品の商品名を格納する欄、発注数を格納する欄、構成比を格納する欄、求めた構成比分配率を格納する欄、発注数の補正値、すなわち、補正発注数を格納する欄及び各欄の合計値を格納する欄を設けた一時格納テーブルを作成する（一時格納用テーブル作成手段）。そして、作成した一時格納テーブルの内容を前記液晶ディスプレイ２５に表示する。
【００１７】
また、構成比に伸び率を加味して補正する補正区分を選択すると、さらに伸び率を格納する欄を設けた一時格納テーブルを作成する（一時格納用テーブル作成手段）。そして、作成した一時格納テーブルの内容を前記液晶ディスプレイ２５に表示する。
【００１８】
この状態で、キーボード２７を操作し、Ｓ１３にて商品名を入力し、Ｓ１４にて発注数量を入力する。この場合の商品名の入力は、商品名を直接入力しても、また、商品コードを入力し、それに該当する商品名をストアコントローラから受け取っても良い。入力した商品名は一時格納テーブルの商品名を格納する欄に格納されて液晶ディスプレイ２５に表示され、また、入力した数量は一時格納テーブルの発注数を格納する欄に格納されて液晶ディスプレイ２５に表示される。  
以上の操作を発注する商品全てについて繰り返し行い、最後に終了操作を行うと、Ｓ１５にて、発注入力の終了を判断し、Ｓ３の発注補正情報獲得処理へ移行する。
【００１９】
Ｓ３の発注補正情報獲得処理では、リサーチサイトサーバ３から該当する商品分類カテゴリーのリサーチ情報をダウンロードし、最初のダウンロード時にはＨＤＤ２４に図５に示すような構成の発注情報テーブル２４１を作成する。すなわち、リサーチ情報に基づいて構成比の順位を決め、順位毎にＪａｎコード及び商品名の商品情報、構成比、伸び率を設定した発注情報テーブル２４１を作成する。また、２回目以降のダウンロード時にはリサーチ情報に基づいて順位、構成比及び伸び率の内容を更新する。
【００２０】
Ｓ４の発注補正処理をさらに詳しく説明すると、図６に示すように、Ｓ２１にて、補正区分が構成比のみになっているか否かをチェックし、構成比のみになっていれば、Ｓ２２にて、発注入力した各商品についてその構成比を発注情報テーブル２４１から読み出して一時格納テーブルの構成比の格納欄に格納する。例えば、発注入力した商品が商品ＡＢＣであれば、発注情報テーブル２４１からその商品ＡＢＣの構成比「7.27%」を読み出して一時格納テーブルの商品ＡＢＣの構成比格納欄に格納する。
【００２１】
そして、各商品の構成比の合計を算出し、その合計値を該当する格納欄に格納する。そして、格納した内容を液晶ディスプレイ２５に表示する。  
続いて、Ｓ２３にて、発注入力した各商品の発注数量の合計を算出し、その合計値を該当する格納欄に格納する。そして、格納した内容を液晶ディスプレイ２５に表示する。
【００２２】
また、補正区分が伸び率を加味して補正する補正区分になっていれば、Ｓ２４にて、発注入力した各商品についてその構成比と伸び率を発注情報テーブル２４１から読み出し、構成比×伸び率の計算を行って構成比を補正し、その補正した構成比を一時格納テーブルの構成比の格納欄に格納するとともに伸び率の格納欄に該当する伸び率を格納する。例えば、発注入力した商品が商品ＡＢＣであれば、発注情報テーブル２４１からその商品ＡＢＣの構成比「7.27%」と伸び率「107.01%」を読み出し、7.27×107.01≒7.78によって求めた補正構成比「7.78%」と伸び率「107.01%」を一時格納テーブルの商品ＡＢＣの構成比格納欄と伸び率格納欄に格納する。
【００２３】
そして、各商品の補正構成比の合計を算出し、その合計値を該当する格納欄に格納する。そして、格納した内容を液晶ディスプレイ２５に表示する。  
続いて、Ｓ２３にて、発注入力した各商品の発注数量の合計を算出し、その合計値を該当する格納欄に格納する。そして、格納した内容を液晶ディスプレイ２５に表示する。
【００２４】
このようにして構成比や伸び率の格納が収納すると、続いて、Ｓ２５にて発注商品の構成比分配率を各商品の構成比とその合計値とから算出し、一時格納テーブルの該当する商品の構成比分配率格納欄に格納し、格納した内容を液晶ディスプレイ２５に表示する。続いて、Ｓ２６にて、算出した構成比分配率と入力した発注数から補正発注数を算出し、一時格納テーブルの該当する商品の補正値格納欄に格納し、格納した内容を液晶ディスプレイ２５に表示する。例えば、各商品の構成比の合計値が「23.79%」で、ある商品の構成比が「7.27%」であれば７．２７／２３．７９により、構成比分配率は略３１％となる。従って、この商品の市場動向を反映した正しい発注数は、発注数合計、すなわち、３６０×０．３１で、１１０個となる。  
このような処理を発注入力した各商品全てについて行い、Ｓ２７にて終了を判断すると、この発注補正処理を終了する。
【００２５】
このような構成の発注端末２において、商品分類が同一カテゴリーの商品について、補正区分を構成比のみとして商品名と発注数を入力する。例えば、商品名「商品ＡＢＣ」、発注数「１２０個」、商品名「商品ＢＣＤ」、発注数「１００個」、商品名「商品ＣＤＥ」、発注数「８０個」、商品名「商品ＤＥＦ」、発注数「６０個」を入力する。
【００２６】
補正区分を構成比のみとしたことでＲＡＭ２３に図７に示す構成の一時格納テーブル２３１が作成され、商品名及び発注数の入力によって一時格納用テーブル２３１の該当するデータの格納欄が埋められ、その結果が液晶ディスプレイ２５に表示される。また、発注端末２はリサーチサイトサーバ３にアクセスしてそのサーバ３から商品分類が同一カテゴリーの商品に対するリサーチ情報を取得し、ＨＤＤ２４に図５に示す構成の発注情報テーブル２４１を作成する。
【００２７】
そして、発注情報テーブル２４１から該当する商品の構成比が読み出されて一時格納用テーブル２３１の該当する格納欄に格納され、その結果が液晶ディスプレイ２５に表示される。そして、構成比分配率が求められ、発注数の補正値が求められ、一時格納用テーブル２３１の該当する格納欄に格納され、その結果が液晶ディスプレイ２５に表示される。
【００２８】
例えば、商品ＡＢＣの構成比が７．２７％、商品ＢＣＤの構成比が５．８６％、商品ＣＤＥの構成比が５．６９％、商品ＤＥＦの構成比が４．９７％であったとすると、その合計値は２３．７９％となり、商品ＡＢＣの構成比分配率は７．２７％／２３．７９％≒３１％、商品ＢＣＤの構成比分配率は５．８６％／２３．７９％≒２５％、商品ＣＤＥの構成比分配率は５．６９％／２３．７９％≒２４％、商品ＤＥＦの構成比分配率は４．９７％／２３．７９％≒２１％となる。しかし、これでは全体で１０１％となるため、例えば、四捨五入するときの値が最も小さい商品ＡＢＣの構成比分配率を３０％にして全体で１００％になるようにする。
【００２９】
従って、商品ＡＢＣの入力した発注数１２０個に対する補正発注数は３６０個×３０％で１０８個となり、商品ＢＣＤの入力した発注数１００個に対する補正発注数は３６０個×２５％で９０個となり、商品ＣＤＥの入力した発注数８０個に対する補正発注数は３６０個×２４％で８６個となり、商品ＤＥＦの入力した発注数６０個に対する補正発注数は３６０個×２１％で７６個となる。発注数の合計は補正する前と補正した後とは同じ３６０個である。
【００３０】
このように、商品販売の市場動向を見る上で構成比のみを使用した方がより正確に反映されるような商品分類、例えば、市場における売れ行き変化が小さい商品分類についてはリサーチ情報の構成比のみを使用して全体の発注数が３６０個における各商品の発注数を求め、入力した各商品の発注数を補正する。これにより、各商品において市場動向をより反映した発注数量の発注ができる。
【００３１】
また、商品分類が同一カテゴリーの商品について、伸び率を加味して構成比を補正する補正区分とした場合は、ＲＡＭ２３に図８に示す構成の一時格納テーブル２３２が作成される。そして、発注情報テーブル２４１から該当する商品の構成比と伸び率が読み出され、構成比を、伸び率を乗算することで補正する。
【００３２】
例えば、商品ＡＢＣの構成比が７．２７％で伸び率が１０７．０１％、商品ＢＣＤの構成比が５．８６％で伸び率が９４．２９％、商品ＣＤＥの構成比が５．６９％で伸び率が１１３．２５％、商品ＤＥＦの構成比が４．９７％で伸び率が３０７．３９％であったとすると、商品ＡＢＣの補正後の構成比は７．７８％となり、商品ＢＣＤの補正後の構成比は５．５３％となり、商品ＣＤＥの補正後の構成比は６．４４％となり、商品ＤＥＦの補正後の構成比は１５．２８％となる。  
こうして補正された構成比と伸び率が一時格納用テーブル２３１の該当する格納欄に格納され、その結果が液晶ディスプレイ２５に表示される。
【００３３】
各商品の構成比の合計は３５．０３％となるので、商品ＡＢＣの構成比分配率は７．７８％／３５．０３％≒２２％、商品ＢＣＤの構成比分配率は５．５３％／３５．０３％≒１６％、商品ＣＤＥの構成比分配率は６．４４％／３５．０３％≒１８％、商品ＤＥの構成比分配率は１５．２８％／３５．０３％≒４４％となる。
【００３４】
従って、商品ＡＢＣの入力した発注数１２０個に対する補正発注数は３６０個×２２％で７９個となり、商品ＢＣＤの入力した発注数１００個に対する補正発注数は３６０個×１６％で５８個となり、商品ＣＤＥの入力した発注数８０個に対する補正発注数は３６０個×１８％で６５個となり、商品ＤＥＦの入力した発注数６０個に対する補正発注数は３６０個×４４％で１５８個となる。発注数の合計は補正する前と補正した後とは同じ３６０個である。
【００３５】
このように、商品販売の市場動向を見る上で構成比を伸び率で補正した方がより正確に反映されるような商品分類、例えば、市場における売れ行き変化が大きな商品分類についてはリサーチ情報の構成比を伸び率で補正した構成比を使用して全体の発注数が３６０個における各商品の発注数を求め、入力した各商品の発注数を補正する。これにより、各商品において市場動向をより反映した発注数量の発注ができる。
【００３６】
このようにして各種カテゴリーの商品分類について発注入力処理を行い、リサーチ情報に基づいて各商品の発注数を補正すると、これらをまとめてＨＤＤ２４に図９に示す構成の発注テーブル２４２を作成する。すなわち、Ｊａｎコード、商品分類カテゴリー、補正区分、商品名、入力発注数及び発注補正値を発注する商品全てについて一覧にした発注テーブル２４２を作成する。
【００３７】
従って、発注端末２の操作者はこの発注テーブル２４２の内容をプリンタ２９によって伝票等に印字出力することができる。そして、この一覧表を見ることにより、各種商品をそれぞれ該当する業者端末４に対して発注する作業を行うことができる。
【００３８】
（第２の実施の形態）
この実施の形態では、リサーチサイトは、例えば、スナック菓子、ビール、飲料水、医薬品等のカテゴリーを同一商品分類として区分し、同一商品分類について数十或いは数百という品目の市場調査を行い、商品毎に、販売実績に対応した構成比、すなわち、全品目の販売合計数に対する各品目の販売数の割合である構成比、前回の調査からの伸び率の他、さらに、商品が新商品か製造中止の商品か、販売中止の商品か、それともどれにも該当しない通常の商品かの商品情報を前記リサーチサイトサーバ３に格納し、このリサーチサイトサーバ３からリサーチ情報として発注端末２に提供するようになっている。
【００３９】
前記発注端末２は、この実施の形態においても図３に示す発注数管理処理を実行する。
Ｓ２の発注数入力処理において選択した補正区分が伸び率を加味して補正する補正区分になっていれば、ＲＡＭ２３に図１１に示す構成の一時格納テーブル２３５が作成される。すなわち、発注する商品の商品名を格納する欄、発注数を格納する欄、構成比を格納する欄、伸び率を格納する欄、商品情報に基づいて決められた係数を格納する欄、求めた構成比分配率を格納する欄、発注数の補正値を格納する欄及び各欄の合計値を格納する欄を設けた一時格納テーブル２３５が作成される。そして、この一時格納テーブル２３５に対して発注入力した商品及びその発注数量を格納し、その内容が液晶ディスプレイ２５に表示されることになる。
【００４０】
例えば、商品名「商品ＡＢＣ」、発注数「１２０個」、商品名「商品ＥＦＤ」、発注数「６０個」、商品名「商品ＦＧＥ」、発注数「１００個」、商品名「商品ＣＡＢ」、発注数「８０個」を入力する。  
また、Ｓ３の発注補正情報獲得処理においては発注情報テーブルを作成し、あるいは更新する処理を行う。この場合にリサーチ情報の商品情報により予め設定した係数を設定する。
【００４１】
すなわち、図１０に示すように、Ｓ３１にて、リサーチサイトサーバ３から該当する商品分類カテゴリーのリサーチ情報をダウンロードし、最初のダウンロード時にはＨＤＤ２４に図１２に示すような構成の発注情報テーブル２４５を作成する。すなわち、リサーチ情報に基づいて構成比の順位を決め、順位毎にＪａｎコード、商品名、構成比、伸び率を設定し、かつ、係数を設定する領域を設けた発注情報テーブル２４５を作成する。また、２回目以降のダウンロード時にはリサーチ情報に基づいて順位、構成比及び伸び率の内容を更新する。
【００４２】
続いて、ダウンロードした各商品について、商品が通常商品か、新商品か、製造中止商品か、それとも発売中止商品かをチェックする。そして、該当商品が通常商品であれば、Ｓ３２にて、該当商品の係数を設定する領域に係数「１．０」を設定する。また、該当商品が新商品であれば、Ｓ３３にて、該当商品の係数を設定する領域に係数「３．０」を設定する。また、該当商品が製造中止商品であれば、Ｓ３４にて、該当商品の係数を設定する領域に係数「０．５」を設定する。また、該当商品が発売中止商品であれば、Ｓ３５にて、該当商品の係数を設定する領域に係数「０」を設定する。これにより、発注情報テーブル２４５の各商品の係数を設定する領域Ａには図１２に示すように係数が設定されることになる。
【００４３】
また、Ｓ４の発注補正処理においては、図１３に示すように、Ｓ４１にて、発注入力し、一時格納テーブル２３５に格納した商品に対応する構成比を係数に応じて補正し、その補正した値を一時格納テーブル２３５の構成比格納欄に格納する。例えば、商品ＡＢＣの構成比が７．２７％、商品ＥＦＤの構成比が２．５３％、商品ＦＧＥの構成比が２．１２％、商品ＣＡＢの構成比が１．３７％であったとすると、商品ＡＢＣは係数が「１．０」なので構成比はそのままであり、商品ＥＦＤは係数が「０．０」なので構成比は０％となり、商品ＦＧＥは係数が「０．５」なので構成比は半分の１．０６％となり、商品ＣＡＢは係数が「３．０」なので構成比は３倍の４．１１％となる。
【００４４】
続いて、Ｓ４２にて、補正区分が構成比のみになっているか否かをチェックし、構成比のみになっていれば、Ｓ４３にて、発注入力した各商品についてその構成比を発注情報テーブル２４５から読み出して一時格納テーブルの構成比の格納欄に格納し、Ｓ４４にて、発注入力した各商品の発注数量の合計を算出し、その合計値を該当する格納欄に格納する。そして、格納した内容を液晶ディスプレイ２５に表示する。
【００４５】
また、補正区分が伸び率を加味して補正する補正区分になっていれば、Ｓ４５にて、発注入力した各商品についてその構成比と伸び率を発注情報テーブル２４５から読み出し、構成比×伸び率の計算を行って構成比を補正し、その補正した構成比を一時格納テーブルの構成比の格納欄に格納するとともに伸び率の格納欄に該当する伸び率を格納する。そして、各商品の補正構成比の合計を算出し、その合計値を該当する格納欄に格納し、格納した内容を液晶ディスプレイ２５に表示する。
【００４６】
続いて、Ｓ４６にて発注商品の構成比分配率を各商品の構成比とその合計値とから算出し、一時格納テーブルの該当する商品の構成比分配率格納欄に格納し、格納した内容を液晶ディスプレイ２５に表示する。続いて、Ｓ４７にて、算出した構成比分配率と入力した発注数から補正発注数を算出し、一時格納テーブル２３５の該当する商品の補正値格納欄に格納し、格納した内容を液晶ディスプレイ２５に表示する。このような処理を発注入力した各商品全てについて行い、Ｓ４８にて終了を判断すると、この発注補正処理を終了する。  
以上の、発注補正処理におけるＳ４２からＳ４８の処理は前述した図６におけるＳ２１からＳ２７の処理と同じである。
【００４７】
ここでは、選択した補正区分が伸び率を加味して補正する補正区分になっているので、Ｓ２４の処理によって構成比がさらに補正される。すなわち、商品ＡＢＣの構成比７．２７％は伸び率を乗じて７．７８％となる。商品ＥＦＤは構成比が０％になっているのでそのまま０％となる。商品ＦＧＥの構成比１．０６％は伸び率を乗じて０．８６％となる。商品ＣＡＢの構成比４．１１％は伸び率を乗じて１４．９％となる。そして、その合計値は２３．５４％となる。
【００４８】
これにより各商品の構成比分配率を算出すると、商品ＡＢＣの構成比分配率は３３％、商品ＥＦＤの構成比分配率は０％、商品ＦＧＥの構成比分配率は４％、商品ＣＡＢの構成比分配率は６３％となる。その合計値は１００％である。従って、商品ＡＢＣの補正発注数は１１９個となり、商品ＥＦＤの補正発注数は０個となり、商品ＦＧＥの補正発注数は１４個となり、商品ＣＡＢの補正発注数は２２７個となる。発注数の合計は補正する前と補正した後とは同じ３６０個である。
【００４９】
このように、リサーチサイトで検索したリサーチ情報の構成比や伸び率を利用して入力した各商品の発注数を補正するので、各商品において市場動向を十分に反映した発注数量の発注ができる。  
しかも、リサーチ情報の商品情報も利用し、商品が新商品なのか製造中止商品なのか発売中止商品なのかそれ以外の通常商品なのかによって係数を設定して構成比を補正し、それに基づいて各商品の発注数量を補正しているので、商品が新商品なのか製造中止商品なのか発売中止商品なのかそれ以外の通常商品なのかを知らずに、あるいは全く意識せずに発注入力を行っても、新商品については発注数が増加するように補正され、また、製造中止商品については発注数が減少するように補正され、また、発売中止商品については全く発注されないように補正される。これにより、最新の市場の動向をより十分に反映した商品の発注ができる。
【図面の簡単な説明】
【００５０】
【図１】本発明の第１の実施の形態に係るシステム全体の構成を示すブロック図。
【図２】同実施の形態における発注端末の構成を示すブロック図。
【図３】同実施の形態における発注端末の発注数管理処理を示す流れ図。
【図４】図３の発注数管理処理における発注入力処理を示す流れ図。
【図５】同実施の形態における発注情報テーブルの構成を示す図。
【図６】図３の発注数管理処理における発注補正処理を示す流れ図。
【図７】同実施の形態における構成比のみのときの一時格納テーブルの構成を示す図。
【図８】同実施の形態における構成比に伸び率を加味したときの一時格納テーブルの構成を示す図。
【図９】同実施の形態において発注時に作成される発注テーブルの構成を示す図。
【図１０】本発明の第２の実施の形態に係る発注補正情報獲得処理を示す流れ図。
【図１１】同実施の形態における一時格納テーブルの構成を示す図。
【図１２】同実施の形態における発注情報テーブルの構成を示す図。
【図１３】同実施の形態における発注補正処理を示す流れ図。
【符号の説明】
【００５１】
２…発注端末、２１…ＣＰＵ（中央処理装置）、２５…液晶ディスプレイ、２７…キーボード、２３１，２３２…一時格納テーブル。
【図１】
2005128707.tif 000003
【図２】
2005128707.tif 000004
【図３】
2005128707.tif 000005
【図４】
2005128707.tif 000006
【図５】
2005128707.tif 000007
【図６】
2005128707.tif 000008
【図７】
2005128707.tif 000009
【図８】
2005128707.tif 000010
【図９】
2005128707.tif 000011
【図１０】
2005128707.tif 000012
【図１１】
2005128707.tif 000013
【図１２】
2005128707.tif 000014
【図１３】
2005128707.tif 000015